(57)【要約】【課題】停電灯機能を組み込むことにより、メンテナンスフリーで意匠にも制約が生じないエレベータの照明装置を提供する。【解決手段】エレベータの乗りかご内に設置するエレベータの照明装置であって、乗りかご内の天井に配置させる光源と、この光源からの光を受光し、乗りかご内に反射させる反射部材と、光源と反射部材を支持するフレームを備え、反射部材に光源からの光を蓄光する蓄光材を塗布させたエレベータの照明装置。【選択図】図２
2013124170.tif 000002
【特許請求の範囲】
【請求項１】
エレベータの乗りかご内に設置するエレベータの照明装置であって、
乗りかご内の天井に配置させる光源と、この光源からの光を受光し、乗りかご内に反射させる反射部材と、前記光源と前記反射部材を支持するフレームを備え、
前記反射部材に前記光源からの光を蓄光する蓄光材を塗布させたエレベータの照明装置。
【請求項２】
前記反射部材は、陽極酸化処理を施したアルミ母材で形成され、その反射面は、PVD（Physical Vapor Deposition）コーティング処理されている請求項１に記載のエレベータの照明装置。
【請求項３】
前記蓄光材は、アルミン酸ストロンチウムを母体に希土類を加えて高温焼成したセラミックス顔料である請求項１に記載のエレベータの照明装置。
【請求項４】
前記反射部材の一部に前記蓄光材を塗布してある請求項１に記載のエレベータの照明装置。
【請求項５】
前記反射部材の部位によって前記蓄光材の塗布量を異ならしめている請求項１に記載のエレベータの照明装置。
【請求項６】
前記反射部材の両端側については前記蓄光材を薄く塗布し、前記反射部材の中央部については前記蓄光材を濃く塗布している請求項５に記載のエレベータの照明装置。
【請求項７】
エレベータの乗りかご内に設置するエレベータの照明装置であって、
光源と、この光源からの光を受光し、その全面に亘って光らせる導光板と、この導光板の全面から出た光を受けて乗りかご内に反射させる反射部材と、前記光源と前記導光板と前記反射部材を支持するフレームを備え、
前記反射部材に前記導光板からの光を蓄光する蓄光材を塗布させたエレベータの照明装置。
【請求項８】
前記導光板は、アクリル板に白色インクでドットパターンが印刷されている請求項７に記載のエレベータの照明装置。
【請求項９】
前記反射部材は、陽極酸化処理を施したアルミ母材で形成され、その反射面は、PVD（Physical Vapor Deposition）コーティング処理されている請求項７に記載のエレベータの照明装置。
【請求項１０】
前記蓄光材は、アルミン酸ストロンチウムを母体に希土類を加えて高温焼成したセラミックス顔料である請求項７に記載のエレベータの照明装置。
【請求項１１】
前記反射部材の一部に蓄光材を塗布してある請求項７に記載のエレベータの照明装置。
【請求項１２】
前記反射部材の部位によって蓄光材の塗布量を異ならしめている請求項７に記載のエレベータの照明装置。
【請求項１３】
前記反射部材の両端側については前記蓄光材を薄く塗布し、前記反射部材の中央部については前記蓄光材を濃く塗布している請求項１２に記載のエレベータの照明装置。
【請求項１４】
前記蓄光材から発する光の強さと前記導光板から取り出される光の強さが、前記導光板発光面で均一となるように前記蓄光材と前記導光板を組み合わせた請求項７記載のエレベータの照明装置。
【発明の詳細な説明】
【技術分野】
【０００１】
本発明の実施形態は、エレベータの照明装置に関する。
【背景技術】
【０００２】
エレベータの乗りかごには、乗りかご内を照明する照明装置が配設されている。この照明装置とは別に、停電を感知した際にバッテリーから供給された電力により点灯する停電灯を設けている。さらに、停電時等においては、乗りかごを最寄階に着床させるようにしている。
【０００３】
停電時における最寄階への着床は、建物の非常電源やエレベータの備えた非常電源であるバッテリーによって供給される電力によって行われるもので、電源容量が限られている。そのため、別途設けられる停電灯への電力も、例えば、点灯時間３０分間、乗りかごの床面で１ルックスの照度をまかなえる程度で、照明能力に限度があった。
【０００４】
しかも、停電灯に関連して、停電を感知するセンサーやバッテリーを含めてメンテナンスを行う必要があった。また、停電灯の設置により、意匠に制約が生じていた。
【先行技術文献】
【特許文献】
【０００５】
【特許文献１】特開平１０−８７２０２号公報
【特許文献２】特開２００８−１５０１２４号公報
【発明の概要】
【発明が解決しようとする課題】
【０００６】
本発明が解決しようとする課題は、停電灯機能を組み込むことにより、メンテナンスフリーで意匠にも制約が生じないエレベータの照明装置を提供することである。
【課題を解決するための手段】
【０００７】
実施形態のエレベータの照明装置は、エレベータの乗りかご内に設置するエレベータの照明装置であって、乗りかご内の天井に配置させる光源と、この光源からの光を受光し、乗りかご内に反射させる反射部材と、前記光源と前記反射部材を支持するフレームを備え、前記反射部材に前記光源からの光を蓄光する蓄光材を塗布させた。
【図面の簡単な説明】
【０００８】
【図１】本実施形態に係るエレベータかご室の概観図である。
【図２】本実施形態に係るエレベータの照明装置の模式図である。
【図３】本実施形態に係るエレベータの照明装置における反射部材の模式図である。
【図４】本実施形態に係る導光板式のエレベータの照明装置の模式図である。
【図５】本実施形態に係る導光板式のエレベータの照明装置における反射板の模式図であり、反射板の一部に蓄光材が塗布されている様子を表す。
【図６】本実施形態に係る導光板式のエレベータの照明装置における反射板の模式図であり、蓄光材の塗布量が反射板の場所によって異なる様子を表す。
【図７】本実施形態に係るエレベータの照明装置の通常時における発光の様子の模式図である。
【図８】本実施形態に係るエレベータの照明装置の停電時における発光の様子の模式図である。
【図９】本実施形態に係る導光板式のエレベータの照明装置の通常時における発光の様子の模式図である。
【図１０】本実施形態に係る導光板式のエレベータの照明装置の停電時における発光の様子の模式図である。
【発明を実施するための形態】
【０００９】
以下、本発明の一実施の形態について、図面を参照して説明する。尚、各図において同一箇所については同一の符号を付すとともに、重複した説明は省略する。
【００１０】
（第１の実施形態）
図１は、本実施形態に係る照明装置が適用されるエレベータの乗りかご室を示す図である。乗りかご室１は、主として、天井２、側板３、床４、リターンパネル５、幕板６、ドアパネル７、乗りかご室内操作盤８、照明装置９から構成されている。
【００１１】
図２は、本実施形態に係るエレベータの照明装置の模式図である。図２に示すように、照明装置９は、光源１０と、フレーム１１と、反射部材１２から構成されている。光源１０は、蛍光灯あるいはＬＥＤが好適である。フレーム１１は、光源１０と反射部材１２とを支持するものである。反射部材１２は、例えば、陽極酸化処理を施したアルミ母材で形成する。また、その反射面には、チタン・シリコン等を用いてPVD（Physical Vapor Deposition）コーティングし、入射した可視光線をほとんど吸収しないようにするのが好適である。また、反射部材１２の反射角を所定の範囲に設定し、光を効率よく下方に反射させるようにする。
【００１２】
図３は、本実施形態に係るエレベータの照明装置における反射部材１２の模式図である。図３に示すように、反射部材１２には蓄光材１３が塗布してある。蓄光材は、化学的安定性に優れるアルミン酸ストロンチウムを母体に希土類を加えて高温焼成したセラミックスで、光の吸収、発光を繰り返す特性をもつ顔料である。太陽光や蛍光灯などの可視光線や紫外線による励起光の光エネルギーを吸収蓄積し、暗闇で長時間自然発光する。天然の鉱物を主原料とした無機質素材で劣化しない。吸収する光エネルギーが強ければ強いほど、より明るく、長時間発光を続ける。
【００１３】
このように構成することにより、通常時は、光源１０から発せられた光２０は、直接、あるいは、反射部材１２により反射して、乗りかご室１の側板３あるいは床４方向に向かうと共に、通常時の光源１０の点灯中、蓄光材１３には、蓄光が蓄えられる。
【００１４】
一方、停電時には、蓄光材１３に蓄えられた光が、蓄光材１３から乗りかご室１の側板３あるいは床４方向に向かって放出される。
【００１５】
（第２の実施形態）
次に、第２の実施形態について説明する。図４は、本実施形態に係る導光板式のエレベータの照明装置の模式図である。第２の実施形態では、照明装置９が導光板式照明となっている。
【００１６】
照明装置９は、光源である発光素子１４、導光板１５、フレーム１６、反射板１７から構成されている。発光素子１４は、例えばＬＥＤが好適である。導光板１５には、導光板１５に入射した光を全反射させるためのドットパターン１８が施されている。光源近傍のドットパターン１８の面積を小さくし、光源から遠く離れるほどドットパターン１８の面積を大きくすることにより、導光板１５全体が均一に光る。
【００１７】
導光板１５は、発光素子１４から出た光を側面部から入射させる。このとき、側面部で表面反射するわずかな光を除いたほとんど全ての光が、導光板１５に入射する。導光板１５に入射した光は表面反射を繰り返して導光板１５の広い面積に広がる。その際、ドットパターン１８に当たった光が散乱してその進路を変え、全反射角よりも小さい角度になった光が導光板１５の表面から出てくることを利用して、導光板１５全面を均一に光らせる。
【００１８】
導光板１５は、例えば、アクリル板に白色インクでドットパターン１８を印刷するシルク印刷方式、スタンパーやインジェクションでアクリル面に凹凸を形成する成型方式、アクリル板と反射板をドット状の粘着剤で貼り合わせる粘着ドット方式等で製作することができる。
【００１９】
フレーム１６は、発光素子１４と導光板１５と反射板１７とを支持するものである。また、反射板１７には、蓄光材１９が塗布してある。
【００２０】
反射板１７、蓄光材１９については、上記した第１の実施形態における反射部材１２、蓄光材１３と同様のものを使用することができる。
【００２１】
第２の実施形態によれば、導光板１５のドットパターン１８との組み合わせを最適化することにより、より強い光を取り出すことや均一な面発光を可能にすることができる。
【００２２】
図５は、本実施形態に係る導光板式のエレベータの照明装置における反射板の模式図である。反射板１７への蓄光材１９の塗布は、一様である必要はない。すなわち、図５に示すように、反射板１７の一部に蓄光材１９を塗布してもよい。このような一部塗布により、蓄光の向きを乗りかご内でも特に照らしたい位置に合わせることができる。
【００２３】
図６は、本実施形態に係る導光板式のエレベータの照明装置における反射板の模式図であり、反射板１７の場所によって蓄光材１９の塗布量を異ならしめてもよい。例えば、図６に示すように、反射板１７の両端側については蓄光材１９を薄く塗布し、反射板１７の中央部については蓄光材１９を濃く塗布することもできる。反射板１７の形状と蓄光材１９の塗布領域、塗布量を適切に選定することにより、乗りかご内の場所によって取り出す光の強さを変えることができる。
【００２４】
次に、以上のように構成された照明装置の作用を説明する。
【００２５】
図７は、本実施形態に係るエレベータの照明装置の通常時における発光の様子の模式図である。また、図８は、本実施形態に係るエレベータの照明装置の停電時における発光の様子の模式図である。照明装置９を図２に示すように構成した場合、通常時は、図７に示すように、光源１０から発せられた光２０は、直接、あるいは、反射部材１２により反射して、乗りかご室１の側板３あるいは床４方向に向かう。また、通常時の光源１０の点灯中、蓄光材１３には、蓄光が蓄えられる。
【００２６】
一方、停電時には、図８に示すように、蓄光材１３に蓄えられた光２１が、蓄光材１３から乗りかご室１の側板３あるいは床４方向に向かって放出される。
【００２７】
図９は、本実施形態に係る導光板式のエレベータの照明装置の通常時における発光の様子の模式図である。また、図１０は、本実施形態に係る導光板式のエレベータの照明装置の停電時における発光の様子の模式図である。
【００２８】
照明装置９を図４に示すように構成した場合、通常時は、図９のように発光素子１４から発せられた光２２は、導光板１５に入射する。入射光は、ドットパターン１８により全反射して、あるいは、反射板１７により反射して、乗りかご室１の側板３あるいは床４方向に向かう。また、通常時の発光素子１４の点灯中、反射板１７に塗布した蓄光材１９には、蓄光が蓄えられる。
【００２９】
一方、停電時には、図１０に示すように、蓄光材１９に蓄えられた光２３が、導光板１５を介して、乗りかご室１の側板３あるいは床４方向に向かって放出される。
【００３０】
以上説明したように、本実施形態によれば、停電時に蓄光材から光が発せられ、停電灯を設けることなく、バッテリー不要で停電時に乗りかご室内を照らすことができる。また、通常時に点灯する照明装置とは別に停電灯を設ける必要がないため、意匠の制約が生じなくなる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１・・・エレベータ乗りかご室
２・・・天井
３・・・側板
４・・・床
５・・・リターンパネル
６・・・幕板
７・・・ドアパネル
８・・・乗りかご室内操作盤
９・・・照明装置
１０・・・光源
１１・・・フレーム
１２・・・反射部材
１３・・・蓄光材
１４・・・発光素子
１５・・・導光板
１６・・・フレーム
１７・・・反射板
１８・・・ドットパターン
１９・・・蓄光材
２０・・・光源から発せられた光
２１・・・蓄光材から放出された光
２２・・・発光素子から発せられた光
２３・・・蓄光材から放出された光
【図１】
2013124170.tif 000003
【図２】
2013124170.tif 000004
【図３】
2013124170.tif 000005
【図４】
2013124170.tif 000006
【図５】
2013124170.tif 000007
【図６】
2013124170.tif 000008
【図７】
2013124170.tif 000009
【図８】
2013124170.tif 000010
【図９】
2013124170.tif 000011
【図１０】
2013124170.tif 000012